(57)【要約】      （修正有）【課題】被挟持材Ｗを挟持した際に、左右方向の揺動だけでなく、左右方向と交差する方向の揺動も抑制できるクリップを提供する。【解決手段】クリップ１は、左右プレート部を有する第１クリップ片２と、該第１クリップ片２に枢軸４を介して枢着し、かつばね５を介して第１クリップ片２とともに被挟持材Ｗを挟持する第２クリップ片３とを、備えたクリップにおいて、前記第２クリップ片２には、前記第１クリップ片２と被挟持材Ｗを挟持するための第１挟持部１２から前記枢軸４と平行に左右延長部１４が突出され、該左右延長部１４から枢軸４に近づく方向に突出して前記第１クリップ片２のプレート部７ａとの間で被挟持材Ｗを挟持するための左右の第２挟持部１５が形成されていることである。【選択図】図１
0003144933.tif 000002
【実用新案登録請求の範囲】
【請求項１】
左右プレート部（７ａ）を有する第１クリップ片（２）と、該第１クリップ片（２）に枢軸（４）を介して枢着しかつばね（５）を介して第１クリップ片（２）とともに被挟持材（Ｗ）を挟持する第２クリップ片（３）とを、備えたクリップにおいて、
前記第２クリップ片（３）には、前記第１クリップ片（２）と被挟持材（Ｗ）を挟持するための第１挟持部（１２）から前記枢軸（４）と平行に左右延長部（１４）が突出され、
該左右延長部（１４）から枢軸（４）に近づく方向に突出して前記第１クリップ片（２）のプレート部（７ａ）との間で前記被挟持材（Ｗ）を挟持するための左右第２挟持部（１５）が形成されていることを特徴とするクリップ。
【請求項２】
前記左右延長部（１４）には、前記第１クリップ片（２）のプレート部（７ａ）との間で前記被挟持材（Ｗ）を挟持するための左右第３挟持部（１８）が形成されていることを特徴とする請求項１に記載のクリップ。
【請求項３】
前記左右各第２挟持部（１５）と第３挟持部（１８）との間には、前記被挟持材（Ｗ）から離れた逃げ部（１９）が形成されていることを特徴とする請求項２に記載のクリップ。
【請求項４】
第１クリップ片（２）は、前記第２クリップ片（３）を枢支しかつ第２クリップ片（３）とともに被挟持材（Ｗ）を挟持する台座（６）と、この台座（６）を固着してその左右にプレート部（７ａ）を形成するプレート（７）とで構成されていることを特徴とする請求項１〜３のいずれか１項に記載のクリップ。
【考案の詳細な説明】
【技術分野】
【０００１】
本考案は、ポケットに装着される又はシート材を挟持するためのクリップに関するものである。
【背景技術】
【０００２】
クリップとしては、例えば、特許文献１に示すように、「透明薄板を二重に形成して中間に紙片等を挿入可能にした収納体の裏面にクリツプを固着し、該クリツプによつて衣服等を挟持することによつて取り付け可能にした名札において、該クリツプを開閉する槓杆部の先端をＴ字形に延長した左右のそれぞれの先端部に収納体に対して圧着する挟持部を設け、該挟持部によつて衣服等を挟持することによつて該名札を縦位置と横位置のいずれでも取り付け可能にしている（特許請求の範囲）」がある。
そして、前記挟持部が収納体に対して圧着する先端を複数に分割してそれぞれ爪部を形成している。
【特許文献１】実開平０４−１３０９８１号
【考案の開示】
【考案が解決しようとする課題】
【０００３】
従来技術においては、槓杆部の先端に爪部を有する挟持部が、枢軸部の軸心と平行に長く一体的に延設されている。この延設された左右の挟持部によって、被挟持材を挟持したクリップは、槓杆部の回りで揺動が抑制される。
しかしながら、左右の挟持部は一直線上に位置しており、この直線配置の挟持部回りの揺動、即ち左右方向と交差する方向の揺動に対しては、抑制するものがない。これにより、衣服のポケットに名札を取り付けるためのクリップにおいては、名札が下を向いてしまう等の問題があった。
【０００４】
本考案は、このような従来技術の問題点を解決できるようにしたクリップを提供することを目的とする。
本考案は、被挟持材を挟持した際に、左右方向の揺動だけでなく、左右方向と交差する方向の揺動も抑制できるようにしたクリップを提供することを目的とする。
【課題を解決するための手段】
【０００５】
本考案における課題解決のための具体的手段は次の通りである。
第１に、左右プレート部を有する第１クリップ片と、該第１クリップ片に枢軸を介して枢着し、かつばねを介して第１クリップ片とともに被挟持材を挟持する第２クリップ片とを、備えたクリップにおいて、
前記第２クリップ片には、前記第１クリップ片と被挟持材を挟持するための第１挟持部から前記枢軸と平行に左右延長部が突出され、
該左右延長部から枢軸に近づく方向に突出して前記第１クリップ片のプレート部との間で前記被挟持材を挟持するための左右第２挟持部が形成されていることである。
【０００６】
これにより、第１挟持部で被挟持材を挟持した際（例えばポケット縁に挟着する際）に、左右に離れた第２挟持部によって、被挟持材は左右方向の揺動が抑制される。
また、左右第２挟持部は第１挟持部から枢軸に近づく方向に離れていることによって、被挟持材は左右方向と交差する方向の揺動も抑制される。
第２に、前記左右延長部には、前記第１クリップ片のプレート部との間で前記被挟持材を挟持するための左右第３挟持部が形成されていることである。
これにより、左右方向及び枢軸遠近方向で広い範囲で挟持でき、被挟持材の左右方向及び左右方向と交差する方向の揺動が抑制される。
【０００７】
第３に、前記左右各第２挟持部と第３挟持部との間には、前記被挟持材から離れた逃げ部が形成されていることである。
これにより、第２挟持部と第３挟持部との間は、逃げ部の存在によってプレートとの間で挟持することはない。従って、被挟持材を挟持した際に、枢軸に近い位置に存在する左右第２挟持部と、枢軸から離れた位置に存在する第３挟持部のみによって、被挟持材は確実に挟持される。
第４に、第１クリップ片は、前記第２クリップ片を枢支しかつ第２クリップ片とともに被挟持材を挟持する台座と、この台座を固着してその左右にプレート部を形成するプレートとで構成されていることである。
【０００８】
これにより、プレートに任意の形状又は大きさのものを使用して、挟持する被挟持材に最適なクリップにすることができる。
【考案の効果】
【０００９】
本考案によれば、被挟持材を挟持した際に、左右方向の揺動だけでなく、左右方向と交差する方向の揺動も抑制できる
【考案を実施するための最良の形態】
【００１０】
以下、本考案の実施形態を図面に基づいて説明する。
図１〜図４に示す第１実施形態において、クリップ１Ａは、例えば、衣類の胸ポケットに名札を取り付けるためのクリップであり、紙類を挟持するのにも利用できる。。
前記クリップ１Ａは、第１クリップ片２と、第１クリップ片２とともに被挟持材Ｗを挟持するための第２クリップ片３と、前記第１クリップ片２と前記第２クリップ片３とを開閉自在に連結するための枢軸４と、前記第１クリップ片２と前記第２クリップ片３とを挟持するためのばね５と、から構成されている。
【００１１】
前記第１クリップ片２は、枢軸４を枢着させるための台座６をプレート７に固着して形成されている。前記台座６とプレート７とはそれぞれ合成樹脂によって製作されているが、金属等で製作されてもよい。
台座６は先端側の板厚が、基部側の板厚より薄く形成されており、その先端側が第２クリップ片３とともに被挟持材Ｗを挟持するための挟持受部８となっている。基部側の左右方向両端には、台座６から上方向すなわちプレート７から離れる方向に向かって斜めに突出した軸受部９が形成され、この軸受部９は左右対称で二股状に突設している。左右の軸受部９には、枢軸４を枢支するための軸孔１０が穿設されている。
【００１２】
図２に示すように、左右の軸受部９の間の台座６の基端上面には凸部１１が形成され、Ｖ字形状のばね５の一辺（下辺）を係止している。
プレート７は平板で形成され、クリップ１Ａを名札用に使用する場合、前記プレート７は名札プレートとなり、その表面に名前を記入するか、名刺を挟めるように構成される。前記プレート７の左右幅は、前記台座６の左右幅より幅広に形成され、前記台座６よりも左方に突設している左プレート部７ａと、右方に突設している右プレート部７ａとを有する。前記第１クリップ片２は、左右プレート部７ａを有するプレート７が、ベースとなる台座６と別個に形成されて互いに固着されているが、台座６と一体成形してもよい。
【００１３】
前記第２クリップ片３は、第１クリップ片２の挟持受部８とともに被挟持材Ｗを挟持するための第１挟持部１２を先端に有する中央部１３と、第１挟持部１２から左右方向にそれぞれ延設された左右延長部１４と、左右延長部１４から枢軸４に近づく方向に突出して前記第１クリップ片２の左右プレート部７ａとの間で被挟持材Ｗを挟持するための左右の第２挟持部１５とを有している。第２クリップ片３は、第１クリップ片２と同様に、合成樹脂によって製作されるが、金属等で製作してもよい。
第２クリップ片３の中央部１３は、左右の軸受部９間に嵌入されており、左右の軸受部９の軸孔１０に嵌り込むための左右対称な枢軸４が一体成形されている。
【００１４】
前記枢軸４は台座６及び中央部１３の端部より中央側に位置し、中央部１３の端部を指で押すことにより、第１挟持部１２を挟持受部８から離すように中央部１３を揺動できるようにしている。なお、中央部１３に台座６の枢軸４と対向する軸受部を形成し、それらに別途形成した枢軸４を貫通するようにしてもよい。
中央部１３には、収納凹部１６が台座６の凸部１１と対向する面に形成され、前記Ｖ字形状のばね５の他辺（上辺）を係止している。
前記左右各延長部１４の外端から枢軸４に近づきかつプレート７に近づくように傾斜した第２挟持部１５が形成されている。前記第２挟持部１５はばね５の作用によって、また延長部１４からプレート７に近づく形状によってプレート７に弾圧されており、中央部１３を揺動して第１挟持部１２が挟持受部８から離れた状態でもプレート７に当接していても良い。左右の第２挟持部１５の先端は被挟持材Ｗの挿脱を容易にするためにそり形状の屈曲部１７が形成されている。
【００１５】
左右延長部１４のプレート７側の端縁には、第１クリップ片２の左右プレート部７ａとの間で被挟持材Ｗを挟持するために、プレート７と対向する面に左右の第３挟持部１８が形成されている。図１に示すように、左右の第３挟持部１８は、被挟持材Ｗを挟持するために、第１挟持部１２より左右プレート部７ａに近づく方向に向かって、台座６の先端側の板厚と略同じ寸法だけ突出している。
前記左右それぞれの第２挟持部１５と第３挟持部１８との間には、プレート７との間に
逃げ部１９が形成されている。
【００１６】
図１に示すように、ばね５は、板ばねによって構成され、板ばねの中央でＶ字状に屈曲され、凸部１１に向かって付勢しようとする一辺５ａ（下辺）と、収納凹部１６に向かって付勢しようとする他辺５ｂ（上辺）とから構成されている。
ばね５の一辺５ａには、台座６の凸部１１が嵌め込まれるための凹部２０が形成されている。
ばね５の一辺５ａと他辺５ｂとが遠ざかる方向に付勢することで、枢軸４を介して枢着された第１クリップ片２の挟持受部８側と第２クリップ片３の第１挟持部１２側とは、近づく方向すなわち挟持する方向に付勢することになる。
【００１７】
図３の２点鎖線で示すように、クリップ１Ａが挟持解除方向に回動（第２クリップ片３が矢印Ｘ方向に回動）した状態で、被挟持材Ｗは台座６の挟持受部８と第２クリップ片３の第１挟持部１２との間から左右の第２挟持部１５に向かって挿入される。挿入された被挟持材Ｗは、枢軸４から遠い第１挟持部１２と、第１クリップ片２の第１挟持部１２よりも枢軸４に近い左右第２挟持部１５と、前記第１挟持部１２の左右延長線上に位置する左右第３挟持部１８とによって、第１挟持部１２を中心にして左右それぞれに２点計５点で挟持され、被挟持材Ｗに対して左右方向及び左右方向と交差する枢軸４遠近方向の揺動が抑制される。
【００１８】
第２挟持部１５と第３挟持部１８との間は、逃げ部１９の存在によってプレート７との間で挟持することはない。この逃げ部１９によって第２挟持部１５はプレート７に対して弾圧するための弾性変形可能な形状に形成できる。また、被挟持材Ｗを挟持した際に、枢軸４に近い位置に存在する左右の第２挟持部１５と、枢軸４から離れた位置に存在する第３挟持部１８によって、被挟持材Ｗは確実に挟持される。
図５に示す第２実施形態において、クリップ１Ｂの左右延長部１４は左右外端側が先細り形状になっており、延長部１４に形成された第３挟持部１８は第１挟持部１２近傍から左右外方へ且つ枢軸４に近づく方向に傾斜している。
【００１９】
図６に示す第３実施形態において、クリップ１Ｃは第３挟持部１８が形成されてなく、左右延長部１４のプレート７側の面は第１挟持部１２と直線状に形成されている。中央部１３には窪み１３ｂが形成されていて、この窪み１３ｂに安全ピン１３ａが装着されており、ばね５の他辺５ｂによって抜止めされている。
図７に示す第４実施形態において、クリップ１Ｄは、第３挟持部１８が形成されてなく、左右延長部１４から第２挟持部１５にわたる外周が円弧形状になっている。
図８に示す第５実施形態において、クリップ１Ｅは左右プレート部７ａと台座６とが一体に形成されている。挟持受部８はプレート７の表面に形成され、中央部１３の第１挟持部１２は延長部１４よりもプレート７側に突出した突起部２１で形成されている。
【００２０】
このクリップ１Ｃ，１Ｄ，１Ｅは、クリップ１Ｃに挿入された被挟持材Ｗが第１挟持部１２と左右それぞれの第２挟持部１５とによって、すなわち３点で挟持される。
なお、ばね５は、板ばねに代えて、コイルばね等を使用してもよい。
さらに、プレート７は、四角形状に形成されているが、三角形状，五角形状をはじめとする多角形状にしてもよく、また円形状，楕円形状をはじめとするＲ形状にしてもよい。
【図面の簡単な説明】
【００２１】
【図１】本考案の第１実施形態を示すクリップの全体斜視図である。
【図２】図１におけるＡ−Ａ線断面図である。
【図３】同クリップの左側面図である。
【図４】同クリップの平面図である。
【図５】第２実施形態を示すクリップの全体斜視図である。
【図６】第３実施形態を示すクリップの全体斜視図である。
【図７】第４実施形態を示すクリップの全体斜視図である。
【図８】第５実施形態を示すクリップの全体斜視図である。
【図９】同クリップの左側面図である。
【符号の説明】
【００２２】
１    クリップ
２    第１クリップ片
３    第２クリップ片
４    枢軸
５    ばね
５ａ  一辺
５ｂ  他辺
６    台座
７    プレート
７ａ  プレート部
８    挟持受部
９    軸受部
１０  軸孔
１１  凸部
１２  第１挟持部
１３  中央部
１３ａ安全ピン
１３ｂ窪み
１４  延長部
１５  第２挟持部
１６  収納凹部
１７  屈曲部
１８  第３挟持部
１９  逃げ部
２０  凹部
２１  突起部
Ｗ  被挟持材
【図１】
0003144933.tif 000003
【図２】
0003144933.tif 000004
【図３】
0003144933.tif 000005
【図４】
0003144933.tif 000006
【図５】
0003144933.tif 000007
【図６】
0003144933.tif 000008
【図７】
0003144933.tif 000009
【図８】
0003144933.tif 000010
【図９】
0003144933.tif 000011